(57)【要約】【課題】既設マンホール蓋の下側に存する地下埋設型共同溝の開口部に、シリンダ錠を装着する蓋体と取付枠とからなる蓋装置を装着して安全対策を高める。【解決手段】地下埋設型共同溝の外部に設けた外受枠に既設マンホール蓋を設けた開口部において、前記開口部の形状にあわせて外形を形成して内側端に出入口部を設けた取付枠と、該取付枠の出入口部を開閉する蓋体とからなる。前記出入口部に蓋体を開閉可能に取付け、前記開口部の内壁面に止具で固着させた取付枠の出入口部に、該出入口部より大きくて周縁部に重合部を有するように蓋体を被せ、前記蓋体の下面周縁部に前記取付枠の下側に掛止させる複数の掛止具を設ける。この掛止具と前記蓋体に設けた操作部に存する作動部とを連動部材で連動させて該蓋体を開閉可能に取付けてある。【選択図】　　図２
2004100305.tif 000002
【特許請求の範囲】
【請求項１】
地下埋設型共同溝の外部に設けた外受枠に既設マンホール蓋を設けてなる開口部において、
前記開口部の形状にあわせて外形を形成して内側端に出入口部を設けた取付枠と、該取付枠の出入口部を開閉する蓋体とからなり、
前記出入口部に蓋体を開閉可能に取付け、前記開口部の内壁面に止具で固着させた取付枠の出入口部に、該出入口部より大きくて周縁部に重合部を有するように蓋体を被せ、前記取付枠の下側に掛止させる複数の掛止具を前記蓋体の下面周縁部に設けると共に、該掛止具と前記蓋体に設けた操作部に存する作動部とを可撓性を有する連動部材で連動させて、該蓋体を開閉可能に取付けてなることを特徴とする既設マンホール蓋の蓋装置。
【請求項２】
前記連動部材が、蓋体の下面周縁部に取付けた掛止具に進退動可能に装着して引張バネを内臓して先端に設けた掛止ピンと、前記蓋体の中央部に設けた操作部に回動可能に設けた作動軸の下部に具えた掛止片とを連結してなることを特徴とする請求項１記載の既設マンホール蓋の蓋装置。
【請求項３】
前記操作部内に、シリンダ錠を収容してなることを特徴とする請求項１又は２記載の既設マンホール蓋の蓋装置。
【請求項４】
前記連動部材が、ワイヤーであることを特徴とする請求項１又は２記載の既設マンホール蓋の蓋装置。
【発明の詳細な説明】
【０００１】
【発明の属する技術分野】
本発明は、既設マンホール蓋を有した地下埋設型共同溝の開口部に装着させる蓋体の安全性を高めた既設マンホール蓋の蓋装置に関するものである。
【０００２】
【従来の技術】
既設の路面に設置された鋳鉄製のマンホール蓋やハンドホール蓋（以下、マンホール蓋という）には、不法侵入を防止するための安全対策としての錠、例えば、シリンダ錠を取付けたものは少ない。そのため、このマンホール蓋にシリンダ錠を取付けるには、マンホール蓋と受枠との交換およびそれに伴う路面の掘削埋め戻し工事などが必要となり、道路工事による交通渋滞を起す原因の一つになっている。
【０００３】
このように地下埋設型共同溝は、電気、通信、信号などの各種のライフラインを伝送する通信線などをまとめて地中化することにより、路面の繰返し掘削工事を行わないようにしている。しかし、前記共同溝内に不法に侵入してライフラインを破壊された場合には、社会生活に与える被害は甚大である。そのため、従来からマンホール蓋などのハンドホール蓋に各種の錠を取付けて安全対策を高めている（実公平３―１６９００号など）。
【０００４】
【特許文献１】
実公平３―１６９００号公報（第３−５頁、第１図、第１１図）
【０００５】
【発明を解決しようとする課題】
上記のように、各種通信線の数ある中で、特に重要な通信路線についての安全対策としてマンホール蓋にシリンダ錠の取付けを順に行っていく場合に、全国的に見ると、約１０００種類ほどそれぞれ異なった形状をしたマンホール（ハンドール）蓋の存在が考えられる。そのためには、既設のマンホール蓋をそのままにしてその下方に新設の点検用の蓋体を設置して安全対策を施す必要がある。即ち、路面の復旧工事を不要にすることによって交通の障害となる長期間の道路工事を減少させ、路面の掘り返しによる通行止めを不要にして、全国に多数存在している既設マンホール蓋に安全対策を施した蓋装置を設けることを課題とするものである。
【０００６】
本発明は、かかる課題を解決するため、既設マンホール蓋の下側に存する地下埋設型共同溝の開口部に、シリンダ錠を装着させる蓋体と取付枠とからなる蓋装置を装着して安全対策を高めることを目的とする。
【０００７】
【課題を解決するための手段】
上記課題を解決するために、本発明は、地下埋設型共同溝の外部に設けた外受枠に既設マンホール蓋を設けてなる開口部において、前記開口部の形状にあわせて外形を形成して内側端に出入口部を設けた取付枠と、該取付枠の出入口部を開閉する蓋体とからなり、前記出入口部に蓋体を開閉可能に取付け、前記開口部の内壁面に止具で固着させた取付枠の出入口部に、該出入口部より大きくて周縁部に重合部を有するように蓋体を被せ、前記取付枠の下側に掛止させる複数の掛止具を前記蓋体の下面周縁部に設けると共に、該掛止具と前記蓋体に設けた操作部に存する作動部とを連動部材で連動させて、該蓋体を開閉可能に取付けてなることを特徴とする。
【０００８】
前記連動部材が、蓋体の下面周縁部に取付けた掛止具に進退動可能に装着して引張バネを内臓して先端に設けた掛止ピンと、前記蓋体の中央部に設けた操作部に回動可能に設けた作動軸の下部に具えた掛止片とを連結してある。さらに、前記操作部内にシリンダ錠を収容してあり、また、前記連動部材はワイヤーであることを特徴とする。
【０００９】
上記のように構成したので、既設のマンホール蓋を簡単に安全対策を施した蓋装置を設けることができるし、路面工事の掘り返しを行うことが無いので短時間に設置工事を行うことができる。また、蓋装置の開閉操作を蓋体の中央部に設置した操作部により行うため構造上の制約を無くして既設マンホール蓋に容易に安全対策を施すことができる。
【００１０】
【発明の実施の形態】
本発明に係る実施の形態について説明すると、図１において、地下埋設型共同溝１に設けた開口部２の外部いいかえれば上部に、既設マンホール蓋３を設けてある。このマンホール蓋３は、例えば四角形をした外受枠４を該開口部２の外部に固定し、該外受枠４の内部に設けた掛止棚５に、前記マンホール蓋３を上方から開閉可能に装着してある。このマンホール蓋３の一側部分に設けた錠部６を回動させて、その下部を掛止棚５に掛止させて施錠している。この掛止棚５に掛止させるため、錠部６はマンホール蓋３の中心からはずれた周縁部に設けてある。この場合、構造上または設置場所の制約があったりすると岸悦マンホール蓋の一側部分に錠を設けることができないことがある。このように、蓋体の中央部分に該蓋体の開閉を操作する錠を取付けることができる場合には、構造上または設置場所からの取付上の制約がほとんど無くなって便利となる。
【００１１】
既設マンホール蓋３に装着した錠部６は、構造が簡単なため容易に該マンホール蓋を開けられてしまうので、地下埋設型共同溝の内部に設置した各種電線類などに対する安全対策は不十分である。そのため、地下埋設型共同溝の本体に設けてある開口部２の内壁面に、シリンダ錠を装着する蓋体１８と該蓋体を開閉可能に装着させる取付枠１０とからなる蓋装置１９を設けてある。
【００１２】
図１−５において、平面が四角形をした開口部２の内壁面に、平面形状が方形をした取付枠１０を取付ける。この取付枠１０はＬ型材を一体または分解可能に連結して形成してあり、立上片１１を前記開口部の内壁面に密着させて止具１３を用いて固着してある。この止具１３は、例えば、図５に示すように、開口部２の内壁面に公知のアンカーボルト１３ａを打込んで固着し、該アンカーボルトの前部に設けたねじ孔１３ｂに、該取付枠の立上片１１に設けた孔１１ａを合致させ、取付ボルト１３ｃを用いて取付枠１０を該開口部２に固着してある。アンカーボルトなどの止具１３は、前記開口部２の大きさに応じて複数用いる。
【００１３】
図２に示すように、方形をした取付枠１０の各内角部分に、それぞれ中心方向に突出させて平坦面部１５を形成してあり、該取付枠の内側端に地下埋設型共同溝内へ作業員が出入りするための出入口部１６を設けてある。また、１８は前記取付枠１０の受棚部１２に開閉可能に装着して、前記出入口部１６を閉鎖する蓋体であり、該蓋体の中心部分には後記するシリンダ錠を内部に収容して、該蓋体を取付枠に施錠または開錠させる操作部３０を設けてある。
【００１４】
図２、３に示すように、蓋体１８の外形は、取付枠の出入口部１６より一回り大きく形成してあり、各角部には前記取付枠１０の平坦面部１５と略同形をした面取部１８ａをそれぞれ設けてある。この蓋体１８の周縁部分と前記取付枠１０の出入口部１６の周縁部分との間に重合部２０を設けてある。
【００１５】
このように、蓋体１８の周縁部分と出入口部１６の周縁部分には、互に重なる重合部２０を設けてあるので、該蓋体が前記出入口部１６から落下することはない。取付枠の各角部に平坦面部１５を突出させて内側対角線の長さを短く調整してあるので、蓋体１８を対角線上に位置させても該出入口部１６から該蓋体が落下することはない。
【００１６】
図２に示すように、蓋体の各角部分の下面にはそれぞれ掛止部２１を装着してある。図６に示すように、掛止具２１は蓋体１８の前記面取部１８ａの下面部に取付金具２２によって取付けてある。この掛止具２１の本体部２３は、一端に止環２４を有して進退動可能に装着してあり、内臓した引張バネ２５を介して先端に位置する掛止ピン２６と連動するようにしてあリ，通常は複数個用いるが，少なくとも１以上設ける必要がある。該掛止ピン２６は、引張バネ２５により常に前方に付勢されており、止輪２４に止着した可撓性を有する連結部材２８、例えば、ワイヤー、チェーン、クサリ等が弛められると該バネによって引張されて前記取付枠の受棚部１２の下側にそれぞれ位置して掛止する。
【００１７】
連結部材２８は、一端をそれぞれ掛止具２１の本体部２３の一端に設けた止輪２４に止着してあり、他端は蓋体１８の中央部分に設けた操作部３０内に位置する作動軸３６の下端に設けた掛止片３５の先端に設けた小孔４９に止着してある。図中、２９はワイヤー等の可撓性を有する連結部材２８を案内支持しているガイド部である。また図６に示すように、蓋体１８と受棚部１２とは上下方向に対して互に重さなった重合部２０を設けてあるので蓋体１８は出入口部１６から落下することがない。このように、該掛止ピン２６が前記受枠部１２の下側に位置して掛止していると、蓋体１８を受棚部１２の上方に持ち上げることができずに施錠状態となる。
【００１８】
操作部３０について説明すると、図７において、蓋体１８の中央部に設けた取付孔３１には、掛止基板３２の中央下部に取付けた下部筒３３内に、掛止片３５を一方に突設させた作動軸３６を下方から収容してある。この下部筒３３には、例えば９０度、必要ならそれ以上回動できるように水平方向に設けた案内溝３７から該掛止片３５を突出させ、該作動軸の下部は下部筒３３の下端に取付けた底面板３８に回動可能に軸承させてある。この作動軸３６の中心には排水孔３９を設けてあり、該作動軸の上面には回転操作を行うため角形をした嵌合凹部４０を設けてある。
【００１９】
掛止基板３２上には、前記下部筒と連通させて取付けた上部筒４１の内部にシリンダ錠５０を取出可能に収容する収容室４２を設け、この収容室の上部に設けた受蓋室４３内には上面が平坦な磁性材からなる中蓋体４５を取出可能に収容してある。
【００２０】
この上部筒４１の上部外側には、上面が平坦で非磁性材からなる外蓋体４７を螺合させ、外蓋体４７の内面下端に雌ねじ部４７ａを設け、上部筒の外面上端に雄ねじ部４８を設けてあり、互いのねじ部を螺合して通過させた後は、空転可能な状態となる。そのため、外蓋体４７を回動させても空回りするだけであり、該外蓋体に外部から衝撃が加わっても、両ねじ部がストッパーとなるので離脱することはない。この両ねじ部は必ずしも設ける必要はない。
【００２１】
この外蓋体４７及び中蓋体４５を取外すには、図９に示すように、一端に強力なマグネット５２を具えた吸着部５３を有した特殊な開閉用冶具５５を用いて、非磁性材の外蓋体４７を介して磁性材からなる中蓋体４５を、該マグネット５２を具えた吸着部５３に接着させた状態で、外蓋体４７を上方に持ち上げながら該冶具５５を回転させると、雌ねじ部４７ａと雄ねじ部４８とが螺合して両ねじ部を通過した後に、外蓋体４７および中蓋体４１を上部筒から取出し、収容室４２内に収容してあるシリンダ錠５０に専用キー（図示せず）を用いて該シリンダ錠の下部周面に複数，少なくとも１以上設けた突出部５０ａを凹ませて取り出す。なお、吸着部５３及び外蓋体４７の表面には、周方向に係合して回転させるためにプラス溝又はマイナス溝を設けるのが好ましいが、これらの溝を必ず設ける必要はなく、磁力だけでも十分に回転させることが出来る。
【００２２】
開閉用冶具５５の他端に設けた嵌合凸部５４を、前記作動軸の上方内部に設けた嵌合凹部４０に嵌合させて回動させることにより、該作動軸３６と一体の掛止片３５は回動してワイヤー等の連動部材２８を介して前記蓋体１８に設けた掛止具２１に存する掛止ピン２６を取付枠の受棚部１２の下側から引き出し、該蓋体１８を取付枠１０から持ち上げて出入口部１６を開口することができる。
【００２３】
次に、本実施形態の作用について説明すると、蓋体１８の中央に設けた操作部３０を操作すると、即ち、特殊な開閉用冶具５５の一端、即ち、マグネット５２を具えた吸着部５３を用いて外蓋体４７と内蓋体４５を取り出し、内部に位置する収容部４２内のシリンダ錠５０をキー操作することにより該シリンダ錠５０を収容室４２から取り出す。
【００２４】
シリンダ錠５０を取り出した該収容室４２の下方に位置する作動軸３６の上端に設けた嵌合凹部４０に、前記開閉用冶具５５の他端の設けた掛止凸部５４を嵌合して作動軸３６を回動させると、該作動軸と一体の掛止片３５は回動して該掛止片の先端に設けた小孔４９に一端を止着した連動部材２８を介してそれぞれ他端に連結している掛止具２１を後退させることにより、各掛止ピン２６を後退させて取付枠１０の受枠部１２の下面から引き出して掛止を外して開錠する。
【００２５】
掛止ピン２６を後退させて取付枠の受棚部１２との掛止を外し、該掛止具２１を開錠させて取付枠の出入口部１６から蓋体１８を取り出すことにより該出入口部１６を開口させる。この場合、ワイヤーなどの連動部材２８は引張バネ２５を有しているため、該連動部材の緩みはバネの張力により吸収することができるので垂れ下がったりすることはない。
【００２６】
蓋体１８を取付枠の出入口部１６の上面に取付けるには、操作部３０を操作して作動軸３６を回動し、前記作動軸と一体の掛止片３５を回動復帰させ、前記掛止具２１の掛止ピン２６を引張バネ２５の張力により前進させ、該掛止ピン２６を前記取付枠の受棚部１２の下面に掛止させて施錠させるものである。
【００２７】
図１０、１１に示すように、既設マンホール蓋は方形に限らず円形の場合もあり、地下埋設型共同溝の下方に設けた開口部２が円形の場合でも、該開口部の内壁面に外形が円形で一体又は分解可能に形成した取付枠１０の内部に設けた円形の出入口部１６に、該出入口部よりやや大径の円形に形成した蓋体１８を開閉可能に装着させて蓋装置１９を形成したものであり、操作部３０及び掛止具２１などは前記実施の形態と同じであるから説明を省略する。前記した方形の蓋体の場合には、通常４ケ以上の掛止具を使用するが、円形の蓋体の場合は通常３ケ以上の掛止具を使用しているが、この種の掛止具は少なくとも１以上使用することによって安全に対する機能を高めることは可能である。
【００２８】
【発明の効果】
本発明は、地下埋設型共同溝の開口部に蓋体と取付枠と掛止具とで施錠装置を設けた蓋装置を有してあり、該蓋体の開閉を操作する操作部の位置を蓋体の中央部分に設けてあるので、該マンホール蓋の取付位置などの構造上の制約を受けることなく容易に施錠装置を設けることが出来る。しかも蓋体の周縁部分にそれぞれ設けた掛止具と前記操作部とはワイヤーなどの連動部材で連結できるので自由且つ容易に掛止具および操作部を蓋体に取付けることが出来る。
また取付枠は開口部の内壁面を利用して取付けるため、既設マンホール蓋の取付部分や舗装面などを繰返し掘削工事を行わず、あたかも保守点検作業のように短時間で作業を終了させることが出来る利点を有するものである。
【図面の簡単な説明】
【図１】本発明の一実施の形態を示したもので、既設マンホール蓋の下方に位置する開口部内に蓋装置を取付けた状態の一部省略した断面図である。
【図２】地下埋設型共同溝に設けた開口部の内壁面に方形をした取付枠と蓋体とからなる蓋装置を示した底面図である。
【図３】開口部に取り付けた取付枠に装着させた蓋装置の平面図である。
【図４】図２のＡ−Ａ線方向断面図である。
【図５】開口部の内壁面に取付枠を取付けた状態を示す要部拡大断面図である。
【図６】蓋体の下面に取付けた掛止具と取付枠の受棚部との掛止状態を示す要部拡大断面図である。
【図７】蓋体の中央部分に設けた操作部に装着する施錠装置の縦断面図である。
【図８】掛止片を回動させた状態を示す平面図である。
【図９】一部省略した開閉用冶具の正面図である。
【図１０】第２の実施の形態を示すもので、円形の開口部に蓋体と取付枠とからなる蓋装置を取付けた状態の底面図である。
【図１１】図１０のＢ−Ｂ線方向断面図である。
【符号の説明】
１　　　地下埋設型共同溝
２　　　開口部
３　　　既設マンホール蓋
４　　　外受枠
５　　　掛止棚
１０　　　取付枠
１３　　　止具
１６　　　出入口部
１８　　　蓋体
１９　　　蓋装置
２０　　　重合部
２１　　　掛止具
２５　　　引張バネ
２６　　　掛止ピン
２８　　　連動部材
３０　　　操作部
３５　　　掛止片
３６　　　作動軸
【図１】
2004100305.tif 000003
【図２】
2004100305.tif 000004
【図３】
2004100305.tif 000005
【図４】
2004100305.tif 000006
【図５】
2004100305.tif 000007
【図６】
2004100305.tif 000008
【図７】
2004100305.tif 000009
【図８】
2004100305.tif 000010
【図９】
2004100305.tif 000011
【図１０】
2004100305.tif 000012
【図１１】
2004100305.tif 000013